(57)【要約】  【課題】  搭載した薄型表示装置の画面の左右の高さの異なる傾きを調整するとともに、画面の前後方向の傾斜についても微調整を可能にしたシステムラックを提案する。  【解決手段】  上面を最下位の台とした地板４と、地板４の中央後端位置に立設され内部が中空に形成された中空支柱６と、中空支柱６の中空部に昇降可能に嵌合された昇降支柱７と、昇降支柱７の上端に水平方向に固着された天板１と、中空支柱６の前面部に上下方向適間隔をおいて着脱自在に固着された棚板２，３と、昇降支柱７の背面側の側面に上下方向適間隔をおいて刻設されたねじ穴１１と、ねじ穴１１に対応する位置の中空支柱６の背面側の側面に穿設された透孔１２と、透孔１２に挿通されねじ穴１１のいずれかに選択的螺着されて昇降支柱７を中空支柱６に締結するビス１５を備える。【選択図】  図２
2006218052.tif 000002
【特許請求の範囲】
【請求項１】
上面を最下位の台とした基台と、該基台に立設され内部が中空に形成された中空支柱と、該中空支柱の中空部に昇降可能に嵌合された昇降支柱と、該昇降支柱の上端に水平方向に固着された最上位台と、前記中空支柱に上下方向適間隔をおいて着脱自在に固着された１枚以上の棚板と、前記昇降支柱の側面に上下方向適間隔をおいて刻設されたねじ穴と、該ねじ穴に対応する位置の前記中空支柱側面に穿設された透孔と、該透孔に挿通され前記ねじ穴のいずれかに選択的螺着されて前記昇降支柱を前記中空支柱に締結する締結ねじとを備えたことを特徴とするシステムラック。
【請求項２】
請求項１に記載のシステムラックにおいて、
前記中空支柱の中空部の断面形状および前記昇降支柱の断面形状を矩形状とし、前記中空支柱の背面側の側面に前記透孔を穿設するとともに、前記昇降支柱の背面側の側面に前記ねじ穴を刻設したことを特徴とするシステムラック。
【請求項３】
請求項２に記載のシステムラックにおいて、
前記中空支柱の背面側の側面に前後チルト調整用のねじ孔を刻設し、該ねじ孔に前後方向押しねじを螺合し、前記締結ねじを緩めた状態で前後方向押しねじの先端で前記昇降支柱の側面を押圧して、昇降支柱の前後方向のチルト調整を可能にしたことを特徴とするシステムラック。
【請求項４】
請求項２または３に記載のシステムラックにおいて、
前記透孔を横方向に長い長孔に形成するとともに前記中空支柱の左右側面の両方または一方に左右チルト調整用のねじ孔を刻設し、該ねじ孔に左右方向押しねじを螺合し、前記締結ねじを緩めた状態で左右方向押しねじの先端で前記昇降支柱の側面を押圧して、昇降支柱の左右方向のチルト調整を可能にしたことを特徴とするシステムラック。
【請求項５】
請求項１乃至４のいずれかに記載のシステムラックにおいて、
前記中空支柱の側面に断面Ｃ字形状をした樹脂製のケーブルホルダーを取り付けたことを特徴とするシステムラック。
【請求項６】
請求項１乃至５のいずれかに記載のシステムラックにおいて、
前記中空支柱の基端の背面側に上部が開口したケーブルケースを配設したことを特徴とするシステムラック。
【請求項７】
請求項１乃至６のいずれかに記載のシステムラックにおいて、
前記最上位台の平面形状は、そこへ搭載される機器の底面形状に対応した形状としたことを特徴とするシステムラック。
【請求項８】
請求項１乃至７のいずれかに記載のシステムラックにおいて、
前記基台の下面にキャスターを取り付けたことを特徴とするシステムラック。
【発明の詳細な説明】
【技術分野】
【０００１】
本発明は、ＶＴＲ、ＤＶＤレコーダー、ＢＳチューナー、ＣＳチューナー、オーディオ装置等のＡＶ機器の収納部と、液晶テレビ等の薄型表示装置を載せる台を有するシステムラックに関する。
【背景技術】
【０００２】
ＶＴＲ、ＤＶＤレコーダー、ＢＳチューナー、ＣＳチューナー、オーディオ装置等のＡＶ機器はテレビなどの表示装置と接続して使われることが多く、表示装置の搭載部とＡＶ機器の収納部を有した各種のシステムラックが市販されており、移動可能にキャスター付きのシステムラックも各種提案されている。薄型表示装置を搭載するラックとして特許文献１などが開示されている。特許文献１においては、キャスター付きビデオ収納台と、安全ベルト付き椅子と、ビデオデッキ装置と、ビデオモニター取付杆と、取付杆の先端に設けられたビデオモニターと、左右一対のスピーカーとを備え、歯科治療中の親から幼児を離して座らせても、ビデオモニターを見て楽しく、安全に過ごすことができ、親、歯科医、スタッフの負担を少しでも軽減しようとする構成であり、ビデオモニター取付杆はラックテーブル上に固定され、上下左右方向へ調整自在に設けられている。
【０００３】
また、ラック上にカメラ取付け用アームを設けたテレビ会議用のシステムラックとして特許文献２が開示されている。特許文献２のカメラ・ラック装置は、ラックのモニタテレビを搭載する上面に高さ調整機構が設けられている。ラックの後縁にはアームの基部が取り付けられ、その先端部にはカメラを収容したカメラボックスが取り付けられている。最初、レバーを緩めテレビカメラの高さ位置を調整した後、レバーを締めつけることによりカメラ位置を被写体の視線位置に調整することができる。ラックに搭載したモニタテレビの上面とカメラボックスの底面の間にスペースがある場合には、高さ調整機構を駆動させてモニタテレビの上面をカメラボックスに接触する位置まで上昇させ、停止することができる。これによりモニタテレビとカメラの間の視差は少なくなり、被写体の水平の視線付近に容易にカメラおよびモニタテレビの位置を調整できるとともに、種々の大きさのモニタテレビに対して被写体（人）の視線位置を変えることなく対応でき、多くのユーザーの視線位置にも対応できる。
【０００４】
【特許文献１】実用新案登録第３０７０３７１号公報
【特許文献２】特開平０７−２３３６１号公報
【発明の開示】
【発明が解決しようとする課題】
【０００５】
しかしながら、上述した特許文献１、２の支持構造では、大型の薄型表示装置を搭載することは可能であるものの、薄型表示装置を搭載した台の左右の高さが異なり画面が傾いた場合にそれを微調整して水平に補正することは構造的に無理であった。そのため、近年需要が増大している大型の薄型表示装置を搭載した場合に、その画面の左右の傾きを調整することのできるシステムラックの出現が望まれていた。また、搭載された薄型表示装置の画面の前後方向の傾斜についても、微調整が可能な機構を備えていることが望まれていた。そこで、本発明は、搭載した薄型表示装置の画面の左右の高さの異なる傾きを調整することのできるとともに、画面の前後方向の傾斜についても微調整を可能にしたシステムラックを提案することを目的とした。
【課題を解決するための手段】
【０００６】
上記課題を解決するために、本発明に係るシステムラックは、上面を最下位の台とした基台と、該基台の中央後端位置に立設され内部が中空に形成された中空支柱と、該中空支柱の中空部に昇降可能に嵌合された昇降支柱と、該昇降支柱の上端に水平方向に固着された最上位台と、前記中空支柱の前面部に上下方向適間隔をおいて着脱自在に固着された１枚以上の棚板と、前記昇降支柱の側面に上下方向適間隔をおいて刻設されたねじ穴と、該ねじ穴に対応する位置の前記中空支柱側面に穿設された透孔と、該透孔に挿通され前記ねじ穴のいずれかに選択的螺着されて前記昇降支柱を前記中空支柱に締結する締結雄ねじとを備えたことを特徴とする。
【０００７】
また、本発明は、前記システムラックにおいて、前記中空支柱の中空部の断面形状および前記昇降支柱の断面形状を横幅方向が広い矩形状とし、前記中空支柱の背面側の側面に前記透孔を穿設するとともに、前記昇降支柱の背面側の側面に前記ねじ穴を刻設したことを特徴とする。
【０００８】
また、本発明は、前記システムラックにおいて、前記中空支柱の背面側の側面に前後チルト調整用のねじ孔を刻設し、該ねじ孔に前後方向押しねじを螺合し、前記締結雄ねじを緩めた状態で前後方向押しねじの先端で前記昇降支柱の側面を押圧して、昇降支柱の前後方向のチルト調整を可能にしたことを特徴とする。
【０００９】
また、本発明は、前記システムラックにおいて、前記透孔を横方向に長い長孔に形成するとともに前記中空支柱の左右側面の両方または一方に左右チルト調整用のねじ孔を刻設し、該ねじ孔に左右方向押しねじを螺合し、前記締結雄ねじを緩めた状態で左右方向押しねじの先端で前記昇降支柱の側面を押圧して、昇降支柱の左右方向のチルト調整を可能にしたことを特徴とする。
【００１０】
また、本発明は、前記システムラックにおいて、前記中空支柱の側面に断面Ｃ字形状をした樹脂製のケーブルホルダーを取り付け、前記中空支柱の基端の背面側に上部が開口したケーブルケースを配設することが可能である。
【００１１】
また、本発明は、前記システムラックにおいて、前記最上位台の平面形状を、そこへ搭載される機器の底面形状に対応した形状とし、前記基台の下面にキャスターを取り付けることも可能である。
【発明の効果】
【００１２】
以上述べたように本発明によれば、最上位台に薄型表示装置を搭載した状態で、中空支柱に対する昇降支柱の位置を切り換えることで高さ調整が可能となる。さらに、最上位台に薄型表示装置を搭載した状態で、締結雄ねじを緩め、前後方向押しねじおよび左右方向押しねじの螺合位置を調節することで、薄型表示装置の左右方向および前後方向の傾きを最適な角度に調節することが可能となる。
【発明を実施するための最良の形態】
【００１３】
以下、図に基づいて本発明の実施形態を説明する。
図１は本発明に係るシステムラックを構成する部品を示す斜視図である。図において、１は最上位の台となる天板であり、載せられる液晶テレビ等のスタンドの形状に対応した形状に形成されている。２，３は、天板１の下方に設置される２枚の棚板である。４は基台となる地板であり、基台４の下面（図２参照）には４個のキャスターが取り付けられている。５は断面横長の矩形状をした支柱であり、下部の中空支柱６と上部の昇降支柱７が抜き差し自在に嵌合されている。
【００１４】
この中空支柱６の基端部が地板４の中央後端位置に垂直に固着される。昇降支柱７の上端に天板１の中央後端部が固着され、中空支柱６の前側面部に、棚板２，３が固着される。８は、中空支柱６の側面に取り付けられるケーブルホルダーであり、横方向に二分されており、組み立てた状態で断面Ｃ字形状となる。９は中空支柱６の基端部の背面に取り付けられるケーブルケースである。通常、これらの部品は、システムラックを購入したユーザーにより、ビスを用いて組み立てられる。
【００１５】
図２は、図１に示された部品を組み立てた途中の状態を示す斜視図であり、図３は図２の要部の縦断面図である。組み立て手順としては、支柱５の上下端に天板１と地板４をビスにより締結し、次いで、中空支柱６の前側面に棚板２，３をビス止めする。この状態が、図２の状態であり、ここへさらに、ケーブルホルダー８とケーブルケース９をビス止めすることにより組み立て完成となる。なお、天板１の高さを調節する機構として、中空支柱６の後側面に４個の透孔１２が穿設され、この透孔１２に調整高さで対応するねじ穴１１が昇降支柱７の中空支柱６内部に挿入される部分の背面側に複数個刻設されている。なお、この透孔１２は真円でなく、横方向に長い長孔としてある。また、４個の透孔１２の上下左右のピッチ間には、前後方向チルト調整用のねじ孔１３が形成されている。同様に、ねじ孔１３と略同一高さの中空支柱６の左右側面に、左右方向チルト調整用のねじ孔１４が形成されている。
【００１６】
組み立ての際は、中空支柱６に対して昇降支柱７を希望する高さに抜き差し調節して、その位置に該当するねじ穴１１に、透孔１２からビス１５を挿入して、螺合することで、昇降支柱７が中空支柱６に締結固定される。なお、図３に示されるように、ビス１５を締めつける前に、上下の透孔１２の間のねじ孔１３に、ノブが設けられている押しねじ１６を螺合して押し込むことで、昇降支柱７の前後方向の傾きを調節することが可能である。同様に、ねじ孔１４に、ノブが設けられている押しねじ１７，１８を螺合して押し込むことで、昇降支柱７の左右方向の傾きを調節することが可能である。たとえば、４個の、４個の図２において、４個の透孔１２の下段に８０％程度の締込みでビス１５締めを行い、押しねじ１７，１８で左右の傾きを調整し、次に押しねじ１６で前後の傾きを調整した後に４個の透孔１２の上段のビス１５締めを行うことで、角度調整が可能となる。
【００１７】
すなわち、これらのシステムラックを組み立てる場合は、各部品を組み付けると同時に、昇降支柱７の高さを調節して、少なくとも１本のビス１５を仮止めしておく。この状態で、天板１に液晶テレビ等の表示装置を搭載して、前方から画面を目視して、左右の高さの不揃いや、前後方向の傾きの良否を確認して、前述の押しねじ１６の押し込み量を調整して前後方向のチルト角度の調整をする。同じく、押しねじ１７，１８の押し込み量を調整して左右方向のチルト角度の調整をする。調整作業が終了したところで、ビス１５を完全に締めつけることで天板１の角度が固定される。なお、左右チルト調整用の押しねじ１７，１８は左右側面のいずれか片方だけでも調整は可能であるので、一方を省いてもよい。また、前後方向のチルト角度の調整機能と左右方向のチルト角度の調整機能は必ずしも両機能を共に具備する必要はない。
【００１８】
図４は図２のように組み立てられた後、ケーブルケース９を取り付けた後、ケーブルホルダー８を取り付ける状態を示す斜視図であるが、棚板２，３の図示は省略している。ケーブルケース９は上部が開口した箱状に形成されており、中空支柱６の背面下端にビス止めされる。このケーブルケース９内に、余分な長さの電源コードや接続ケーブルが収納される。ケーブルホルダー８は、樹脂製からなり、横方向に二分されており、中空支柱６にビス止めされた状態で、断面Ｃ字形状となる。ケーブルホルダー８内に電源コードやケーブルを収納することで、前方からのシステムラックの見栄えが損なわれないようにしている。またケーブルホルダー８の縦方向にも棚板２，３位置に対応する近傍にスリットが設けられ、棚板２，３に置かれた機器からのケーブルが最短距離でケーブルホルダー８に導かれる構造としている。ケーブルホルダー８の上端は、図２に示されている押しねじ１７，１８と干渉しないように配置される。
【００１９】
図５は組み立てられたシステムラックの天板１に、液晶テレビＴを載せた状態を背面からみた斜視図である。液晶テレビＴを天板１の上に載せた後、液晶テレビＴの電源コード２１や接続ケーブル２２を、天板１の後端部に貼着したフック２３、２４に係合した後、ケーブルホルダー８の中を這わせてから、長さが余分な場合はその余分な分をケーブルケース９内に収納して、配線作業をする。このように、システムラックにケーブルホルダー８およびケーブルケース９を備えたことで、コードやケーブルがすっきりと配線できて、正面からの見栄えが良くなる。また、天板１の平面形状を、予め液晶テレビＴのスタンドの底面形状に合わせたブーメラン状の外形にしているため、液晶テレビＴのスタンド部分の外観がすっきりとしている。
【００２０】
図６は、上述したシステムラックが組み立てられた後の最終の使用状態を示す側面図である。天板１に、液晶テレビＴが載せられるとともに、棚板２，３や、地板４に、ＡＶ機器Ａ〜Ｃが載せられている。図では、壁Ｗを背にシステムラックが設置されており、地震対策として、昇降支柱７の上端近くと、壁Ｗに設けられたフックとの間にひもＤを掛け渡して、地震発生時に、システムラックが前方へ転倒することを防止している。なお、上述したシステムラックでは、棚板が２枚の構成であるが、収納する機器の数や大きさに応じて、任意に着脱することが可能である。なお、地板４と棚板２，３の各間は１０５ｍｍに設定され、棚板２，３が２枚の場合はＤＶＤなどの薄型機器２台が載置可能であり、高さの有オーディオのミニコンポやコンパクトスピーカーなどの場合は棚板２，３を１枚にして地板４上に機器を搭載することに適した寸法設定となっている。また、棚板を３枚以上の構成とすることも可能である。
【産業上の利用可能性】
【００２１】
本発明は、正面からみた画面の前後方向の傾きや左右の高さを調節したい液晶テレビ、ＰＤＰテレビを載せるためのシステムラックに利用可能である他に、パソコンの薄型モニターを搭載するパソコンラック等にも利用可能である。
【図面の簡単な説明】
【００２２】
【図１】本発明に係るシステムラックを構成する部品を示す斜視図である。
【図２】図１に示された部品を組み立てた途中の状態を示す斜視図である。
【図３】図２の要部の縦断面図である。
【図４】図２のシステムラックにケーブルホルダーを取り付ける状態を示す斜視図である。
【図５】ステムラックの天板に液晶テレビを載せた状態を背面からみた斜視図である。
【図６】システムラックの使用状態を示す側面図である。
【符号の説明】
【００２３】
１  天板
２、３  棚板
４  地板
５  支柱
６  中空支柱
７  昇降支柱
８  ケーブルホルダー
９  ケーブルケース
１１  ねじ穴
１２  透孔
１３、１４  ねじ孔
１５  ビス
１６〜１８  押しねじ
２１  電源コード
２２  接続ケーブル
２３、２４  フック
Ａ〜Ｃ  ＡＶ機器
Ｄ  ひも
Ｔ  液晶テレビ
Ｗ  壁
【図１】
2006218052.tif 000003
【図２】
2006218052.tif 000004
【図３】
2006218052.tif 000005
【図４】
2006218052.tif 000006
【図５】
2006218052.tif 000007
【図６】
2006218052.tif 000008